(57)【特許請求の範囲】
【請求項１】
鉄筋加工票表示処理を含むプログラム（１５）を搭載し、稼働させることによって鉄筋加工票表示システムとしての機能を奏するシステムであって、
描画システム（１）によって描かれた三次元グラフィック画像（２）のイメージデータ（４）が含まれた鉄筋加工票の編集データ（５）を記録装置（１２）に保存する記録手段（６）と、前記記録手段（６）によって保存された編集データ（５）を鉄筋加工票の形態でディスプレイ装置（７）の画面に表示し、当該鉄筋加工票の形状欄（３）に前記三次元グラフィック画像を表示する出力手段（８）と、前記ディスプレイ装置（７）の画面に表示した鉄筋加工票の形状欄（３）に表示された三次元グラフィック画像（２）の表示アングルを変更する表示変更手段（９）を具備する鉄筋加工票表示システム。
【請求項２】
前記ディスプレイ装置（７）の画面に表示した鉄筋加工票の形状欄（３）に表示された三次元グラフィック画像（２）の拡大及び縮小を行う表示変更手段（９）を具備する前記請求項１に記載の鉄筋加工票表示システム。
【請求項３】
前記三次元グラフィック画像（２）のイメージデータ（４）に、当該三次元グラフィック画像（２）へ、形状、素材又は断面径毎に表示分けを施すための表示指定データを設け、前記ディスプレイ装置（７）の画面に表示した鉄筋加工票の形状欄（３）に表示された前記三次元グラフィック画像に、当該表示指定データに対応した表示分けを施す出力手段（８）を具備した前記請求項１又は請求項２のいずれかに記載の鉄筋加工票表示システム。
【発明の詳細な説明】
【０００１】
【発明の属する技術分野】
本発明は、躯体の構築に必要な鉄筋の仕様を、例えば一覧表として表した鉄筋加工票、及びその編集データをディスプレイ画面に鉄筋加工票としての形で表示する鉄筋加工票表示システムに関する。
【０００２】
【従来の技術】
鉄筋加工票として、一定の様式が与えられた用紙へ作業者が手書きで記入する例が今日でも少なくない。この様に、作業者が手書きで作成する鉄筋加工票は、記入様式が極度に限定されないので、注意書きや備考等を記入することによって、鉄筋の加工に際し細かい配慮をすることが可能となって都合が良い場合が多い。
【０００３】
【発明が解決しようとする課題】
しかしながら、手書きの鉄筋加工票は、作業者個人の覚え書きとして位置づけた場合には、極めて理解しやすいものであるが、記入された情報の客観性が薄く、不特定多数の第三者がその記載事項を容易に理解できるか否かには疑問が残る。例えば、形状欄に記された図は、鉄筋に加工を施す際にイメージ造りに極めて有用なものであるが、従来、フリーハンドで主観的イメージに基づき描かれていることから、第三者が鉄筋に加工を施そうとする際にその形状を正確に認識することが困難である場合がほとんどである。
【０００４】
本発明は、上記実情に鑑みて成されたものであって、鉄筋加工票の製作者はもとより、第三者が鉄筋を加工する際に参照した場合であっても、その加工後の形態を正確にイメージすることのできる鉄筋加工票及び鉄筋加工票表示システムの提供を目的とする。
【０００５】
【課題を解決するための手段】
上記課題を解決する為に成された本発明による鉄筋加工票は、特定の躯体に使用される鉄筋の名称、形状、断面径、切り寸、本数、定尺及び定尺本数が記してある鉄筋加工票において、前記鉄筋の形状を、描画システムによって描かれた三次元グラフィック画像として記した形状欄を具備することを特徴とする。
【０００６】
尚、ここで、前記三次元グラフィック画像とは、見る者に対して三次元的な効果、即ち、縦、横、及び奥行きを実感せしめる効果を持った画像を言う。鉄筋加工票のデザインとしては、各鉄筋の加工態様を一覧形式で表示するものであって、鉄筋の名称、形状、断面径、切寸及び本数、並びに定尺（定尺物）及び定尺本数（定尺物の所用本数）の対応関係が明らかとなるような配置が実現できれば良い。前記手書きの鉄筋加工票並びに当該鉄筋加工票編集装置によって出力される鉄筋加工票の記載事項として先に挙げた事項は、必須事項を例示したものであって、それ以外の内容が記載されることを妨げるものではない。
【０００７】
前記鉄筋の名称とは、上筋、下筋、腹筋、ストラップ、幅止、はら筋幅止、スパイラルなどの鉄筋の呼び名を指す。形状とは、その鉄筋がどのような外観を呈して用いられるかを認識できる様に描かれた図であり、必要に応じて寸法や角度或いはコメント等が示されていても良い。描画システムとは、ＣＡＤなど作図用アプリケーション・プログラムの実行によって所望の描画を行ったり、所望の図形を紙面、各種記録メディア或いは他のコンピュータシステム等、種々のインターフェースを介して他の媒体から読み込むことが出来るコンピュータシステム等を指す。
【０００８】
前記描画システムによって描かれた三次元グラフィック画像としては、その画像によって鉄筋がいずれの方向へ曲げられているか等が認識できる程度に立体的な効果が与えられていればよい。立体的な効果を与える為の具体的な態様としては、線画を構成する線の太さに部分的な変化を設ける手法や、レンダリング処理等によって陰影を付加する手法等の既存手法から適宜選択すれば良い。当該立体的な効果に付随して、前記三次元グラフィック画像に、形状、素材又は断面径毎に異なった表示分けが施されれば、鉄筋の形状及び素材等の把握がより容易となり、また正確となる。表示分けの例としては、異なった線種や色、或いは異なった塗りやパターンの選択が挙げられる。
【０００９】
また、上記課題を解決する為に成された本発明による鉄筋加工票表示システムは、描画システムによって描かれた三次元グラフィック画像のイメージデータが含まれた鉄筋加工票の編集データを保存する記録手段と、前記記録手段によって保存された編集データを鉄筋加工票の形態でディスプレイ装置の画面に表示する出力手段を具備することを特徴とする。
【００１０】
前記三次元グラフィック画像のイメージデータに、当該三次元グラフィック画像へ、形状、素材又は断面径毎に表示分けを施すための表示指定データを設け、前記ディスプレイ装置の画面に表示した鉄筋加工票の形状欄に当該表示指定データに対応した表示分けを施す出力手段を具備した鉄筋加工票表示システムとする場合もあり、必要に応じて、前記ディスプレイ装置の画面に表示した鉄筋加工票の形状欄に表示された三次元グラフィック画像の表示アングルを変更する表示変更手段を設けても良いし、前記ディスプレイ装置の画面に表示した鉄筋加工票の形状欄に表示された三次元グラフィック画像の拡大及び縮小（ズーム）を行う表示変更手段を設けても良い。
【００１１】
【発明の実施の形態】
以下、本発明による鉄筋加工票の実施の形態を、鉄筋加工票表示システムの実施の形態と共に図面に基づき説明する。
【００１２】
当該例における鉄筋加工票表示システムは、図５（イ）の如くキーボード或いはマウスやトラックパッド等のポインティング機器から成る入力装置１０、ディスプレイ装置７やプリンタ１３或いはプロッタ等の出力装置１１、磁気ディスクや各種記録メディアにデータを書き込む為の記録装置１２、並びにそれらを具備して種々のデータ処理を行う演算装置１４から構成されたシステムである。前記演算装置１４に、鉄筋加工票表示処理を含むプログラム１５を搭載し、稼働させることによって、本発明による鉄筋加工票表示システム（以下、システムと記す。）としての機能を奏し、当該システムが具備する編集手段１６、インポート手段１７、記録手段６、出力手段８、或いは表示変更手段９が稼働することとなる（図５（ロ）参照）。
【００１３】
当該システムは、前記編集手段１６を具備することによって、鉄筋加工票編集システムとしても機能する。編集手段１６は、例えば、図４に示すように、名称、断面径、材質、形状、切寸、本数、箇所、合計、定尺、割、定尺本数、圧接の記入欄１８を具備した所定フォームの鉄筋加工票１９を編集する機能を持つ。特に形状を記入するに際しては、種々に加工された鉄筋の三次元グラフィック画像２を作成する為の描画モジュール２０が、装置に内在する描画システム１として稼働し、三次元グラフィック画像２の編集が行われる。編集された三次元グラフィック画像のイメージデータ４は、当該編集手段１６の編集機能によって鉄筋加工票の形状欄３へ割り当てられることとなる。
【００１４】
前記描画モジュール２０の編集態様としては、既存の三次元画像編集処理を用いたもので十分であり、前記三次元的な効果を出す手法にあっても、線画を構成する線の太さに部分的なアクセントをつけたり、レンダリング処理等によって陰影を付加する等の既存の手法で十分である。
【００１５】
しかしながら、当該システムについては、その編集対象が特に躯体建造用の鉄筋に限定されるため、用いられる鉄筋の形状を標準化した鉄筋ライブラリ２１を設けると共に、それらを参照できる一覧メニューを作成し、当該一覧メニューの中から選択した上筋、下筋、腹筋、ストラップ、幅止、はら筋幅止、スパイラルなどの一般的な鉄筋の形状に相当する三次元グラフィック画像のイメージデータに対し、角度や寸法（曲げ径、断面径、スパイラル径、長さ等）を設定し、当該設定内容に応じた三次元グラフィック画像２並びにイメージデータ４を編集していくと言う形態を採っても良い。尚、他の記入欄１８に対しては、文字や数字等を適宜入力し、所定のテキストデータ２２を構築していくこととなる。
【００１６】
前記記録手段６は、前記編集手段１６によって作成された鉄筋加工票の編集データ５を、当該システム内の記録装置１２へ保存すると共に、外部の描画システム１によって描かれた三次元グラフィック画像２のイメージデータ２３にあっては、前記インポート手段１７を稼働させる所定の操作を通じ、外部の描画システム１との通信用として設けられたインターフェース（図示省略）を介して当該システム内の記録装置１２へ保存する。尚、各種記録メディアを介する場合には、各種記録メディア対応の読み込みや書き込み（出力）用として設けられた所定のインターフェース２４に接続されたドライブ装置に記録メディアが装填されることで当該システムの記録装置１２として機能する。
【００１７】
この様にして装置内へ読み込まれた三次元グラフィック画像２のイメージデータ２３は、当該システムの描画モジュール２０の稼働によって作成されたイメージデータ４と同様に、前記鉄筋加工票の編集作業の際、読み込みモジュール２５の稼働によって、前記編集データ５の形状欄３に記されるべき編集データ５の一部たるイメージデータ４として利用され（図６参照）、必要に応じて前記描画モジュール２０の稼働によって前記イメージデータ４の変更を行うこともできる。
【００１８】
前記出力手段８は、前記編集データ５として記録装置１２に保存された編集データ５を、適当なインターフェースを介してディスプレイ装置７等の表示機器、プリンタ１３やプロッタ等の印刷機器、磁気ディスクをはじめとする各種記録メディア等の保存機器等に出力するものである。
【００１９】
そして、この様な様々な出力形態のうち、紙面に出力された鉄筋加工票１９は、従来の鉄筋加工票と同様に用いることができ、しかも、形状として三次元的な視覚効果が与えられた三次元グラフィック画像２が印刷されているので、鉄筋の名称や寸法から加工後の形状を推定する作業を行うまでもなく、形状欄３に示されたイメージからその加工後の鉄筋の形状を感覚的に認識することが可能となる。
【００２０】
更に、前記三次元グラフィック画像２のイメージデータ４に、当該三次元グラフィック画像２へ形状に対応した表示分けである色分けを施すための色指定データ２６を加えると共に、前記ディスプレイ装置７の画面に表示した鉄筋加工票の形状欄３に、当該色指定データ２６に対応した彩色を施す出力手段８を具備した鉄筋加工票表示システムとすることによって、鉄筋の形状及び素材の把握がより容易となり、また正確なものとなる。
【００２１】
鉄筋の断面径に応じた表示分けとして異なった線種を三次元グラフィック画像２に用いる場合には、例えば、前記の如く用いられる鉄筋の形状を標準化した鉄筋ライブラリ２１を設けると共に、前記一般的な鉄筋の形状に相当する三次元グラフィック画像２のイメージデータ４に対して断面径を設定した際に、三次元グラフィック画像２のイメージデータ４に当該断面径に応じた線種指定データ２７が表示指定データとして設定される様に描画モジュール２０を設計し、前記ディスプレイ装置７の画面に表示した鉄筋加工票の形状欄３に、当該線種指定データ２７に対応した線種が用いられる様に出力手段８を設計する。
【００２２】
また、鉄筋の素材に応じた彩色を三次元グラフィック画像２に施す場合には、例えば、前記の如く用いられる鉄筋の形状を標準化した鉄筋ライブラリ２１を設けると共に、前記一般的な鉄筋の形状に相当する三次元グラフィック画像２のイメージデータ４に対して角度や寸法を設定すると同時に、あわせて鉄筋の素材を設定する様にし、その際に、三次元グラフィック画像２のイメージデータ４に当該素材に応じた色指定データが設定される様に描画モジュール２０を設計し、前記ディスプレイ装置７の画面に表示した鉄筋加工票の形状欄３に、当該色指定データに対応した彩色を施す様に出力手段８を設計する。
【００２３】
上記手法を用いる場合には、鉄筋の形状や断面径、或いは素材を予め標準化すると共に、前記鉄筋の形状や断面径、或いは素材のそれぞれに対応した表示指定データを、図７の如く前記鉄筋ライブラリ２１の一部たる表示データテーブル２９等に設定しておく必要がある。また、その様な表示分けを望まない場合には、例えば、図７の如く無指定データ２８を設け、当該無指定データ２８に応じた表示を行う様に出力手段８を設計しても良い。
【００２４】
尚、鉄筋の形状や断面径或いは素材に応じた表示指定データをイメージデータ４に設ける手法は上記手法に限るものではなく、前記鉄筋の形状や断面径、或いは素材、及びそれらに対応する色彩や線種等の表示分け手法を標準化するか、或いは編集作業の都度任意に色彩や線種を設定するかを問わず、鉄筋加工票の編集作業のなかにおいて適宜行えば良い。
【００２５】
ディスプレイ画面に出力された鉄筋加工票１９は、前記表示変更手段９の稼働によって当該鉄筋加工票１９を構成する一部の記入欄１８のスポット表示が可能であり、また、記入欄の一つであるところの形状欄３に示されたイメージにあっては、その三次元グラフィック画像２のイメージデータ４を操作することによって、図１に示すように当該画像２を構成する一部のズーム表示や、表示アングルの変更が可能となる。
【００２６】
前記表示変更手段９は、前記ズーム表示を行わしめるズームツールと、前記表示アングルの変更を行わしめるアングル変更ツールを構成する。当該ズームツールやアングル変更ツールは、前記ポインティング機器の操作によってディスプレイ装置７の画面上を移動するカーソルの位置座標を検出し、当該カーソルにより操作された画面上の機能ボタンに応じて選択的に起動される。
【００２７】
前記ズームツールやアングル変更ツールが選択されると、カーソルが、ズームモード或いはアングル変更モードとなり、また或いは、前記ポインティング機器の更なる操作によって拡大縮小率や表示アングルがメニューバーとして表示され、ショートカットキー操作、ポインティング機器によるドラッグ操作、また或いは、メニューバーに表示された機能ボタンの選択等の操作によって、鉄筋加工票１９の全体やその形状欄３に記された三次元グラフィック画像２の表示変更を実現する（図２及び図３参照）。
【００２８】
特に前記形状欄３内における表示変更については、鉄筋加工票１９の編集データ５に含まれる前記イメージデータ４の表示サイズや表示アングルを変更することによって、前記各種出力装置１１や記録装置１２へ出力する内容にも変更が加えられることとなる。
【００２９】
前記鉄筋加工票表示システムのハードウエアとして携帯に便宜なディスプレイ装置一体型の小型コンピュータを採用し、実際に鉄筋を加工する現場において用いれば、これらの機能によって、その加工後の形状を複数の方向から確認しつつ作業が行えることとなる。
【００３０】
【発明の効果】
以上の如く、本発明による鉄筋加工票によれば、前記鉄筋の形状を、描画システムによって描かれた三次元グラフィック画像として記した形状欄を具備する構成によって、鉄筋の名称や寸法から加工後の形状を推定する作業を行うことなく、形状欄に示されたイメージからその加工後の鉄筋の形状を感覚的に認識することが可能となる。
【００３１】
また、本発明による鉄筋加工票表示システムによれば、三次元グラフィック画像をディスプレイ装置に表示することによって前記本発明による鉄筋加工票と同様の効果を得ることが出来る。更に、当該立体的な効果に付随して、前記三次元グラフィック画像に、形状、素材又は断面径毎に異なった表示分けが施されれば、鉄筋の形状及び素材等の把握がより容易且つ正確となり、前記ディスプレイ画面に表示した鉄筋加工票の形状欄に表示された三次元グラフィック画像のアングルを変更する表示変更手段や、前記ディスプレイ画面に表示した鉄筋加工票の形状欄に表示された三次元グラフィック画像の拡大及び縮小（ズーム）を行う表示変更手段を具備する構造を採れば、その加工後の形状を複数の方向から確認することが出来る。
【００３２】
上記の結果、本発明による鉄筋加工票や鉄筋加工票表示システムによれば、作業者の勘違いによる加工不備を防止することができると共に、作業者に具体的な加工イメージが与えられることとなって作業効率の向上も期待できる。
【図面の簡単な説明】
【図１】（イ）（ロ）本発明による鉄筋加工票表示システムにおける表示変更手段の稼働状況をディスプレイ画面の表示例として示した説明図である。
【図２】（イ）（ロ）（ハ）本発明による鉄筋加工票における形状欄表示例を示す説明図である。
【図３】（イ）（ロ）（ハ）本発明による鉄筋加工票における形状欄表示例を示す説明図である。
【図４】本発明による鉄筋加工票の一例を示す説明図である。
【図５】（イ）（ロ）本発明による鉄筋加工票表示システムのハードウエア構成及び機能構成の一例を示すブロック図である。
【図６】本発明による鉄筋加工票表示システムに用いる編集データの一例を示すブロック図である。
【図７】本発明による鉄筋加工票表示システムに設ける鉄筋ライブラリの一例を示すブロック図である。
【符号の説明】
１  描画システム，２  三次元グラフィック画像，３  形状欄，
４  イメージデータ，５  編集データ，６  記録手段，
７  ディスプレイ装置，８  出力手段，９表示変更手段，
１０  入力装置，１１  出力装置，１２  記録装置，１３  プリンタ，
１４  演算装置，
１５  プログラム，１６  編集手段，１７  インポート手段，
１８  記入欄，１９  鉄筋加工票，
２０  描画モジュール，２１  鉄筋ライブラリ，２２  テキストデータ，
２３  イメージデータ，２４  インターフェース，
２５  読み込みモジュール，２６  色指定データ，２７  線種指定データ，
２８  無指定データ，２９  表示指定データテーブル
【図１】
0003616376.tif 000002
【図２】
0003616376.tif 000003
【図３】
0003616376.tif 000004
【図４】
0003616376.tif 000005
【図５】
0003616376.tif 000006
【図６】
0003616376.tif 000007
【図７】
0003616376.tif 000008